(57)【特許請求の範囲】
【請求項１】
ディジタル放送受信システムのＥＰＧ検索において、番組検索部がキーワードを用いて番組を検索し、その検索結果に含まれる語句の内、重複度の高い語句を選択し、重複度の高い語句のコンビネーションに基づいて、キーワード生成部が新たなキーワードを自動生成し、キーワード提示部が前記新たなキーワードをユーザに提示し、再検索部が前記生成されたキーワードのいくつかをさらに追加して再検索を繰り返すことによって、前記検索結果を絞り込む番組検索方法において、
検索結果に基づいて前記キーワード生成部によって生成された新たなキーワードを、前記キーワード提示部が前記ユーザに提示し、キーワード指示部が前記提示されたキーワードの中において削除すべきキーワードの指定を前記ユーザから受け付け、再検索部が前記指定されたキーワードを含む番組を前記検索結果から削除する処理を繰り返し、前記検索結果を絞り込むとともに前記再検索部が再検索を繰り返す際、前記キーワード提示部により前記提示されたキーワードの中において、前記ユーザから所定回数連続して受け付けなかったキーワードを、自動的に前記キーワード提示部から削除するようにしたことを特徴とする番組検索方法。
【請求項２】
ＥＰＧ検索によって番組を検索する方法において、
キーワード入力部がユーザからのキーワードの入力を受け付けるキーワード受付ステップと、
番組検索部が前記入力されたキーワードに基づいて番組を検索して前記ユーザに提示する番組検索ステップと、
キーワード生成部が前記検索結果に含まれる語句の内、重複度の高い語句を選択し、重複度の高い語句のコンビネーションに基づいて、新たなキーワードを自動生成するキーワード生成ステップと、
キーワード提示部が前記生成されたキーワードを前記ユーザに提示するキーワード提示ステップと、
キーワード提示部が前記提示されたキーワードの中において削除すべきキーワードの指定を前記ユーザから受け付けるキーワード指定ステップと、
再検索部が前記指定されたキーワードを含む番組を前記検索結果から削除するとともに前記再検索部が再検索を繰り返す際、前記キーワード提示部により前記提示されたキーワードの中において、前記ユーザから所定回数連続して受け付けなかったキーワードを、自動的に前記キーワード提示部から削除する再検索ステップと、
を含む番組検索方法。
【請求項３】
前記番組検索はディジタル放送受信システムにおいて行われる、請求項２に記載の番組検索方法。
【請求項４】
ＥＰＧ検索によって番組を検索するディジタルテレビにおいて、
ユーザからのキーワードの入力を受け付けるキーワード入力部と、前記入力されたキーワードに基づいて番組を検索して前記ユーザに提示する番組検索部と、
前記検索結果に含まれる語句の内、重複度の高い語句を選択し、重複度の高い語句のコンビネーションに基づいて、新たなキーワードを自動生成するキーワード生成部と、
前記生成されたキーワードを前記ユーザに提示するキーワード提示部と、
前記提示されたキーワードの中において削除すべきキーワードの指定を前記ユーザから受け付けるキーワード指定部と、
前記指定されたキーワードを含む番組を前記検索結果から削除するとともに再検索を繰り返す際、前記キーワード提示部により前記提示されたキーワードの中において、前記ユーザから所定回数連続して受け付けなかったキーワードを、自動的に前記キーワード提示部から削除する再検索部と、備えるディジタルテレビ。
【請求項５】
ＥＰＧ検索によって番組を検索するディジタル放送受信システムにおいて、
ディジタル放送信号を受信して所定の処理を施して出力するディジタル放送チューナと、前記ディジタル放送チューナからの信号に基づいて映像を表示するテレビとを備え、
前記ディジタル放送チューナは、ユーザからのキーワードの入力を受け付けるキーワード入力部と、
前記入力されたキーワードに基づいて番組を検索して前記ユーザに提示する番組検索部と、
前記検索結果に含まれる語句の内、重複度の高い語句を選択し、重複度の高い語句のコンビネーションに基づいて、新たなキーワードを自動生成するキーワード生成部と、
前記生成されたキーワードを前記ユーザに提示するキーワード提示部と、
前記提示されたキーワードの中において削除すべきキーワードの指定を前記ユーザから受け付けるキーワード指定部と、
前記指定されたキーワードを含む番組を前記検索結果から削除するとともに再検索を繰り返す際、前記キーワード提示部により前記提示されたキーワードの中において、前記ユーザから所定回数連続して受け付けなかったキーワードを、自動的に前記キーワード提示部から削除する再検索部と、を有しているディジタル放送受信システム。
【請求項６】
ＥＰＧ検索によって番組を検索するディジタル放送チューナにおいて、ユーザからのキーワードの入力を受け付けるキーワード入力部と、
前記入力されたキーワードに基づいてＥＰＧから番組を検索して前記ユーザに提示する番組検索部と、
前記検索結果に含まれる語句の内、重複度の高い語句を選択し、重複度の高い語句のコンビネーションに基づいて、新たなキーワードを自動生成するキーワード生成部と、
前記生成されたキーワードを前記ユーザに提示するキーワード提示部と、
前記提示されたキーワードの中において削除すべきキーワードの指定を前記ユーザから受け付けるキーワード指定部と、
前記指定されたキーワードを含む番組を前記検索結果から削除するとともに再検索を繰り返す際、前記キーワード提示部により前記提示されたキーワードの中において、前記ユーザから所定回数連続して受け付けなかったキーワードを、自動的に前記キーワード提示部から削除する再検索部と、を備えるディジタル放送チューナ。
【発明の詳細な説明】
【０００１】
【発明の属する技術分野】
本発明は、番組検索方法、特に、キーワードに基づいてＥＰＧ（Ｅｌｅｃｔｒｏｎｉｃ  Ｐｒｏｇｒａｍ  Ｇｕｉｄｅ）からテレビ番組を検索する番組検索方法に関する。
【０００２】
【従来の技術】
ディジタルデータを効率良く検索してユーザに提示する方法として、例えば、特開平１１−１６１６８２号公報、特開平５−１４３６４７号公報、特開平７−８５０６９号公報、特開平２−１８９６８０号公報に示される発明がある。
特開平１１−１６１６８２号公報には、主に、辞書検索ソフト、文書作成ソフト、文書閲覧ソフトに使用される情報検索装置が開示されている。この情報検索装置では、単語又は熟語の意味をデータベースから検索し、単語又は熟語の品詞や前後の単語の意味に基づいて、単語又は熟語の意味を所定の優先順位でユーザに提示する。
【０００３】
特開平５−１４３６４７号公報には、データベースの検索結果を絞り込む検索処理方法が開示されている。この検索処理方法では、例えば、図１(ａ)に示すように、キーワード「Ａ  ａｎｄ  Ｂ」に基づいて検索を行い、検索された記事１〜６に含まれるキーワードＡ〜Ｇのそれぞれの出現回数をユーザに提示する。そして、ＦとＧとがユーザが目的とするキーワードに合致しているとすれば、「ＦＯＲ  Ｇ」を新たなキーワードとして検索結果を絞りこみ、検索された記事３，４，６に含まれるキーワードの出現回数をユーザに提示する。
【０００４】
特開平７−８５０６９号公報には、電話帳データベースにおける検索支援装置が開示されている。この検索支援装置では、ユーザが入力したキーワードに基づいて検索して検索候補を決定し、２候補ずつ重複がないように選択し、選択した候補の属性（姓、名、市区郡、町村、番地、電話番号）ごとにキーワード間の間違いの大きさ（距離）を評価する。そして、各属性毎に距離のばらつきを評価し、ばらつきの大きい属性値を有する候補をユーザに提示し、属性値の修正を促す。
【０００５】
特開平２−１８９６８０号公報には、過去の検索結果を利用して段階的に検索を行う検索方式が記載されている。また、この検索方式では、検索結果がない場合にはそのキーワードの上位概念に属するキーワードを用いて検索を行うことによって、検索の失敗を低減している。
【０００６】
【発明が解決しようとする課題】
しかし、上記公報に記載されている発明はいずれも、予め定められた条件に基づいて検索結果を絞り込んだり、ユーザが条件を絞り込む場合でも、提示されたキーワードの中から適当なキーワードを追加してさらに検索結果を絞りこむものである。ＰＣやディジタル受信システムにおいて、ＥＰＧ（Ｅｌｅｃｔｒｏｎｉｃ  Ｐｒｏｇｒａｍ  Ｇｕｉｄｅ）検索によって番組を検索する場合、ＢＳ放送、ＣＳ放送によって多数の番組が提供されているため、上記公報に記載されている検索方法では、ユーザが番組を検索するのに多大な時間を要する恐れがある。さらに、今後、地上波のディジタル放送が開始されると、さらにチャンネル数が増え、番組の数も急増していくと考えられ、一般家庭のユーザが簡単に目的の番組を検索できる方法が必要になると思われる。
【０００７】
本発明は、ＥＰＧ検索において、膨大な番組情報の中から必要とする番組を容易に検索できるようにすることにある。
【０００８】
【課題を解決するための手段】
第１発明に係る番組検索方法は、ディジタル放送受信システムのＥＰＧ（ＥｌｅｃｔｒｏｎｉｃＰｒｏｇｒａｍ Ｇｕｉｄｅ）検索において、番組検索部がキーワードを用いて番組を検索し、その検索結果に含まれる語句の内、重複度の高い語句を選択し、重複度の高い語句のコンビネーションに基づいて、キーワード生成部が新たなキーワードを自動生成し、キーワード提示部が新たなキーワードをユーザに提示し、再検索部が生成されたキーワードのいくつかをさらに追加して再検索を繰り返すことによって、検索結果を絞り込む番組検索方法において、以下のようにしたことを特徴とする。即ち、検索結果に基づいてキーワード生成部によって生成された新たなキーワードを、キーワード提示部がユーザに提示し、キーワード指定部が提示されたキーワードの中において削除すべきキーワードの指定をユーザから受け付け、指定されたキーワードを含む番組を検索結果から削除する処理を繰り返し、検索結果を絞り込むようにしたことを特徴とする。また、この繰り返し処理において、新たに生成されたキーワードのうち所定回数連続して指定されないキーワードは、キーワード提示部において、削除すべきキーワードとして提示しないようにしたことを特徴とする。
【０００９】
この番組検索方法では、ディジタル放送受信システムにおいて放送電波に含まれるＥＰＧ信号から番組を検索する場合に、検索結果に基づいて生成されたキーワードのうち、ユーザが不要と判断したキーワードを含む検索結果を削除する。これにより、膨大な検索結果から不要なものを簡単に削除でき、効率良く検索結果を絞り込むことができる。また、この番組検索方法では、検索結果に含まれる語句の内、重複度の高い語句を選択し、重複度の高い語句のコンビネーションに基づいて、新たなキーワードを自動生成するので、ユーザが多くのキーワードを入力する必要がない。また、この番組検索方法では、再検索処理を繰り返す際、新たに生成されたキーワードのうち所定回数連続して指定されないキーワードは、キーワード指定画面において、削除すべきキーワードとして表示しないようにするので、ユーザが削除を意図しないキーワードがキーワード指定画面に繰り返し表示されるのを防止でき、画面が見易くなり、キーワードの指定が容易になる。
【００１０】
第２発明に係る番組検索方法は、ＥＰＧ検索によって番組を検索する番組検索方法において、キーワード受付ステップと、番組検索ステップと、キーワード生成ステップと、キーワード提示ステップと、キーワード指定ステップと、再検索ステップと、を含んでいる。キーワード受付ステップは、キーワード入力部がユーザからのキーワードの入力を受け付ける。番組検索ステップは、番組検索部が入力されたキーワードに基づいてＥＰＧから番組を検索してユーザに提示する。キーワード生成ステップは、キーワード生成部が検索結果に含まれる語句の内、重複度の高い語句を選択し、重複度の高い語句のコンビネーションに基づいて新たなキーワードを自動生成する。キーワード提示ステップは、キーワード提示部が生成されたキーワードをユーザに提示する。キーワード指定ステップは、キーワード指定部が、提示されたキーワードの中において削除すべきキーワードの指定をユーザから受け付ける。再検索ステップは、再検索部が指定されたキーワードを含む番組を検索結果から削除するとともに再検索部が再検索を繰り返す際、キーワード提示部により提示されたキーワードの中において、ユーザから所定回数連続して受け付けなかったキーワードを、自動的にキーワード提示部から削除する。
【００１１】
この番組検索方法では、ネットワーク上に蓄積されているＥＰＧから番組の検索を行う場合又はディジタル放送受信システムにおいて放送電波に含まれるＥＰＧ信号から番組を検索する場合に、検索結果に基づいて生成されたキーワードのうち、ユーザが不要と判断したキーワードを含む検索結果を削除する。これにより、膨大な検索結果から不要なものを簡単に削除でき、効率良く検索結果を絞り込むことができる。また、この番組検索方法では、検索結果に含まれる語句の内、重複度の高い語句を選択し、重複度の高い語句のコンビネーションに基づいて、新たなキーワードを自動生成するので、ユーザが多くのキーワードを入力する必要がない。また、この番組検索方法では、再検索処理を繰り返す際、新たに生成されたキーワードのうち所定回数連続して指定されないキーワードは、キーワード指定画面において、削除すべきキーワードとして表示しないようにするので、ユーザが削除を意図しないキーワードがキーワード指定画面に繰り返し表示されるのを防止でき、画面が見易くなり、キーワードの指定が容易になる。
【００１２】
第３発明に係る番組検索方法は、第２発明に係る番組検索方法において、ディジタル放送受信システムにおいて行われる。
この番組検索方法では、ディジタル放送受信システムにおいて放送電波に含まれるＥＰＧ信号から番組を検索する場合に、検索結果に基づいて生成されたキーワードのうち、ユーザが不要と判断したキーワードを含む検索結果を削除する。これにより、膨大な検索結果から不要なものを簡単に削除でき、効率良く検索結果を絞り込むことができる。また、この番組検索方法では、ディジタル放送受信システムにおいて、検索結果に含まれる語句の内、重複度の高い語句を選択し、重複度の高い語句のコンビネーションに基づいて、新たなキーワードを自動生成するので、ユーザが多くのキーワードを入力する必要がない。また、この番組検索方法では、再検索処理を繰り返す際、新たに生成されたキーワードのうち所定回数連続して指定されないキーワードは、キーワード指定画面において、削除すべきキーワードとして表示しないようにするので、ユーザが削除を意図しないキーワードがキーワード指定画面に繰り返し表示されるのを防止でき、画面が見易くなり、キーワードの指定が容易になる。
第４発明に係るディジタルテレビは、ＥＰＧ検索によって番組を検索するディジタルテレビにおいて、ユーザからのキーワードの入力を受け付けるキーワード入力部と、入力されたキーワードに基づいてＥＰＧから番組を検索してユーザに提示する番組検索部と、検索結果に含まれる語句の内、重複度の高い語句を選択し、重複度の高い語句のコンビネーションに基づいて新たなキーワードを自動生成するキーワード生成部と、生成されたキーワードをユーザに提示するキーワード提示部と、提示されたキーワードの中においてキーワードの指定をユーザから受け付けるキーワード指定部と、指定されたキーワードを含む番組を検索結果から削除するするとともに再検索を繰り返す際、キーワード提示部により提示されたキーワードの中において、ユーザから所定回数連続して受け付けなかったキーワードを、自動的にキーワード提示部から削除する再検索部と、を備えている。
【００１３】
第４発明に係るディジタルテレビによれば、第３発明の番組検索方法で述べたと同様の作用効果を奏する。
第５発明に係るディジタル放送受信システムは、ＥＰＧ検索によって番組を検索するディジタル放送受信システムにおいて、ディジタル放送信号を受信して所定の処理を施して出力するディジタル放送チューナと、ディジタル放送チューナからの信号に基づいて映像を表示するテレビとを備えている。そして、ディジタル放送チューナは、ユーザからのキーワードの入力を受け付けるキーワード入力部と、入力されたキーワードに基づいてＥＰＧから番組を検索してユーザに提示する番組検索部と、検索結果に含まれる語句の内、重複度の高い語句を選択し、重複度の高い語句のコンビネーションに基づいて新たなキーワードを自動生成するキーワード生成部と、生成されたキーワードをユーザに提示するキーワード提示部と、提示されたキーワードの中においてキーワードの指定をユーザから受け付けるキーワード指定部と、指定されたキーワードを含む番組を検索結果から削除するとともに再検索を繰り返す際、キーワード提示部により提示されたキーワードの中において、ユーザから所定回数連続して受け付けなかったキーワードを、自動的にキーワード提示部から削除する再検索部と、を有している。
【００１４】
第５発明に係るディジタル放送受信システムによれば、アナログテレビを用いても、第３発明で述べたと同様の作用効果を奏する。
第６発明に係るディジタル放送チューナは、ＥＰＧ検索によって番組を検索するディジタル放送チューナにおいて、ユーザからのキーワードの入力を受け付けるキーワード入力部と、入力されたキーワードに基づいてＥＰＧから番組を検索してユーザに提示する番組検索部と、検索結果に含まれる語句の内、重複度の高い語句を選択し、重複度の高い語句のコンビネーションに基づいて新たなキーワードを自動生成するキーワード生成部と、生成されたキーワードをユーザに提示するキーワード提示部と、提示されたキーワードの中において削除すべきキーワードの指定をユーザから受け付けるキーワード指定部と、指定されたキーワードを含む番組を検索結果から削除するとともに再検索を繰り返す際、キーワード提示部により提示されたキーワードの中において、ユーザから所定回数連続して受け付けなかったキーワードを、自動的にキーワード提示部から削除する再検索部と、を備えている。
【００１５】
第６発明に係るディジタル放送チューナによれば、アナログテレビを用いても、第３発明で述べたと同様の作用効果を奏する。
【００１６】
【発明の実施の形態】
（１）第１実施形態例
（１−１）全体構成
図２は、第１実施形態例に係るディジタル放送受信システム１の概略図である。このディジタル放送受信システムは、テレビ１とアンテナ２とケーブル３とリモコン１１とを含んでいる。テレビ１は、衛星放送信号を処理してテレビ信号を生成するチューナ回路を有するディジタルテレビであり、衛星放送信号に含まれるＥＰＧ（Ｅｌｅｃｔｒｏｎｉｃ  Ｐｒｏｇｒａｍ  Ｇｕｉｄｅ）信号から番組情報を取り出して画面に表示可能である。アンテナ２は、衛星放送電波を受信するためのパラボラアンテナである。テレビ１とアンテナ２とは、同軸ケーブル３によって互いに接続されている。リモコン１１は、テレビ１を赤外線通信によって遠隔操作するための装置である。
【００１７】
（１−２）ディジタルテレビ
図３は、テレビ１の機能ブロック図である。このテレビ１は、信号分離部１０１と、チューナ部１０２と、復調部１０３と、誤り訂正部１０４と、デスクランブル部１０５と、多重化分離部１０６と、ＭＰＥＧデコーダ１０７と、Ｄ／Ａ変換部１０８と、加算器１０９と、モニタ１１５とを備えている。また、テレビ１は、データベース１１０と、検索制御部１１１と、キーワード選択受付部１１２と、表示処理部１１３と、Ｄ／Ａ変換部１１４とをさらに備えている。
【００１８】
信号分離部１０１は、アンテナ２から入力される衛星放送信号から映像信号とＥＰＧ信号とを分離する。チューナ部１０２は、信号分離部１０１で分離された映像信号から希望するチャンネルの映像信号を選択する。復調部１０３は、映像信号からディジタル信号列を取り出す。誤り訂正部１０４は、ディジタル信号列に対して誤り訂正を施す。デスクランブル部１０５は、有料放送などのスクランブルを、利用者の情報に基づいて解除する。多重化分離部１０６は、希望する番組のディジタル信号列を取り出す。ＭＰＥＧデコーダ１０７は、ディジタル信号列を解凍する。Ｄ／Ａ変換部１０８は、解凍されたディジタル信号列をアナログの映像信号及び音声信号に変換して出力する。
【００１９】
データベース１１０は、信号分離部１０１から出力されるＥＰＧ信号に基づいて番組情報を蓄積する。検索制御部１１１は、キーワード選択受付部１１２から受け取った検索論理式に基づいて、キーワードを含む番組情報をデータベース１１０から読み出し、番組情報の検索結果を表示処理部１１３に出力する。また、検索制御部１１１は、キーワード選択受付部１１２で削除すべきキーワードが指定されている場合、データベース１１０から読み出した番組情報から、指定されたキーワードを含む番組情報を削除し、一部の番組情報が削除された検索結果を表示処理部１１３に出力する。さらに、検索制御部１１１は、検索結果に基づいて新たなキーワードを作成し、このデータを表示制御部１１３に出力する。キーワード選択受付部１１２は、キーワードの入力をリモコン１１から受け付ける。また、キーワード選択受付部１１２は、削除すべきキーワードの指定をリモコン１１から受け付ける。表示処理部１１３は、検索処理部１１１から受け取った番組情報をディジタルの表示信号に変換して、Ｄ／Ａ変換部１１４に出力する。また、表示処理部１１３は、検索処理部１１１から受け取ったキーワードをディジタルの表示信号に変換して、Ｄ／Ａ変換部１１４に出力する。Ｄ／Ａ変換部１１４は、ディジタルの表示信号をアナログの表示信号に変換する。
【００２０】
加算器１０９は、Ｄ／Ａ変換部１０８からのアナログの映像信号及び音声信号と、Ｄ／Ａ変換部１１４からの表示信号とを加算し、テレビ信号をモニタ１１５に出力する。モニタ１１５は、テレビ信号に基づいて画面を表示する。
（１−２）番組検索画面例
図４から図７は、テレビ１において番組検索を行った場合の各段階での画面例である。
【００２１】
図４は、キーワード入力画面例である。この例では、キーワードを入力するためのボックスが３つ表示されており、各ボックスに入力されるキーワードは「ｏｒ」で結ばれている。即ち、複数のボックスにキーワードを入力した場合にはいずれかのボックスのキーワードを含む番組情報が検索されることを示している。また、複数のキーワードの全てを含む番組情報を検索する場合、即ち複数のキーワードをａｎｄで結んで検索するには、複数のキーワードを同一のボックス中にスペースを介して入力する。この例では、ジャイアンツの松井選手に関連した番組情報を検索するために、「松井」ａｎｄ「野球」のキーワードを入力している。必要なキーワードを入力した後「検索ボタン」を押すと、検索制御部１１１がキーワード「松井」と「野球」の両方を含む番組情報をデータベース１１０から読み出し、その検索結果を表示処理部１１３に出力し、上述したように表示処理部１１３、Ｄ／Ａ変換部１１４及び加算部１０９で処理され、図５に示すような検索結果画面が表示される。
【００２２】
図５は、第１の検索結果画面例である。ここでは、キーワード「松井」ａｎｄ「野球」を含む番組情報が７７件あり、そのうちの１件目から１０件目が画面に表示されている。「ＮＥＸＴ」ボタンを押すと、次ページの検索結果１１件目から２０件目、２１件目から３１件目と順番に１０件づつの検索結果が表示される。また、「ＢＡＣＫ」ボタンを押すと、１ページ前のページを表示することができる。
【００２３】
この例では、ジャイアンツの松井選手についての番組情報を検索するつもりが、西武の松井選手の番組情報まで検索され、検索結果が７７件と膨大になっている。そこで、検索結果をジャイアンツの松井選手に関する番組情報に絞り込むために「キーワード指定画面ボタン」を押すと、図６に示すようなキーワード指定画面が表示される。
【００２４】
図６は、キーワード指定画面例である。ここでは、図５に示した検索結果に基づいて検索制御部１１１によって新たなキーワードが作成され、各キーワードがチェックボックスと共に表示されている。新たなキーワードは、検索結果の各番組情報に含まれる語句のうち重複度の高い語句を選択して作成する。例えば、「松井」、「秀樹」、「稼頭夫」「野球」、「巨人」、「西武」、「スポーツ」、「プロ」、「ニュース」のように作成する。また、新たなキーワードは、検索結果の各番組情報に含まれる語句のうち重複度の高いコンビネーションに基づいて作成する。例えば、共に重複度の高い「野球」と「プロ」とのコンビネーションで「プロ野球」、共に重複度の高い「松井」と「秀樹」で「松井秀樹」、共に重複度の高い「松井」と「稼頭夫」で「松井稼頭夫」のように作成する。また、新たなキーワードは、検索結果の各番組情報の更新日時のうち重複度の高いものに基づいて作成される。例えば、番組情報の多くが８月１日午前６時に更新されている場合には、「８１」又は「８１６」のように作成する。また、番組情報の製作者によって付加された情報のうち重複度の高いものに基づいて作成される。例えば、「スポーツ」、「野球」、「プロ野球」のように作成する。
【００２５】
削除すべきキーワードの指定は、チェックボックスにチェックを入れて行う。この例では、西武の松井選手に関連するキーワード「稼頭夫」、「西武」、「松井稼頭夫」を含む番組情報を削除するために、各キーワードのチェックボックスにチェックを入れる。これにより、図５の検索結果からこれらのキーワードを含む番組情報がすべて削除されることになる。
【００２６】
また、画面下部には図４と同様のキーワード入力画面が表示されており、新たに生成されたキーワード以外のキーワードを追加したい場合には、ここに入力する。チェックボックスのいずれかをチェックするか、又は、キーワードを追加して、「検索ボタン」を押すと、図７に示す検索結果画面が表示される。
図７は、第２の検索結果画面例である。ここには、図５に示された検索結果から、「稼頭夫」、「西武」、「松井稼頭夫」を含む番組情報を削除した３件の番組情報が表示されている。
【００２７】
さらに再検索を行いたい場合には「キーワード指定画面ボタン」を押すと、再び図６に示すようなキーワード指定画面が表示される。但し、今度表示されるキーワード指定画面には、図７の検索結果画面に表示された３件の番組情報から生成される新たなキーワードが表示される。このように、キーワード指定画面における削除べきキーワードの指定、再検索を繰り返すことによって、検索結果を効率良く絞り込む。
【００２８】
なお、この繰り返し処理において、新らたに生成されたキーワードのうち所定回数（例えば３回）連続してチェックされないキーワードは、キーワード指定画面において、削除すべきキーワードとして表示しないようにする。このようにすると、ユーザが削除を意図しないキーワードがキーワード指定画面に繰り返し表示されるのを防止でき、画面が見易くなり、キーワードの指定が容易になる。
【００２９】
（１−３）フローチャート
図８は、番組検索処理のフローチャートである。
ステップＳ１１：キーワード入力画面（図４）を表示し、ユーザにキーワードの入力を促す。
ステップＳ１２：キーワード入力画面において、「検索ボタン」が押されたか否かを判別する。押されていればステップＳ１３に移行し、押されていなければステップＳ１２の処理を繰り返す。
【００３０】
ステップＳ１３：キーワード入力画面で入力されたキーワードに基づいて、番組情報を検索し、ステップＳ１４に移行する。
ステップＳ１４：検索結果画面（図５）を表示する。
ステップＳ１５：検索結果画面において「キーワード指定画面ボタン」が押されたか否かを判別する。押されていればステップＳ１６に移行し、押されていなければステップＳ２１に移行する。
【００３１】
ステップＳ１６：キーワード指定画面（図６）を表示し、削除すべきキーワードの指定を促す。また、追加するキーワードの入力を促しても良い。
ステップＳ１７：キーワード指定画面において「検索ボタン」が押されたか否かを判別する。押されていればステップＳ１８に移行し、押されていなければステップＳ２２に移行する。
【００３２】
ステップＳ１８：キーワード指定画面において入力された情報（削除すべきキーワードの指定、追加するキーワードの入力）に基づいて、再度、番組情報を検索し、ステップＳ１９に移行する。
ステップＳ１９：キーワード指定画面において、連続して３回とも指定されなかったキーワードがあるかないか判別する。このようなキーワードがある場合にはステップＳ２０に移行し、このようなキーワードがない場合にはステップＳ１４に移行する。
【００３３】
ステップＳ２０：連続して３回とも指定されないキーワードを検索結果画面へ表示するデータから削除する。
ステップＳ２１：検索結果画面において、いずれかの番組が選択されたか否かを判別する。いずれかの番組が選択された場合にはステップＳ２３に移行し、いずれの番組も選択されていない場合にはステップＳ１５に移行する。
【００３４】
ステップＳ２２：検索結果画面において、いずれかの番組が選択されたか否かを判別する。いずれかの番組が選択された場合にはステップＳ２３に移行し、いずれの番組も選択されていない場合にはステップＳ１７に移行する。
ステップＳ２３：番組の詳細情報を表示する。
（１−４）まとめ
本実施形態例に係るディジタル放送受信システムでは、ＥＰＧ検索を行う場合に、検索結果から新たなキーワードを生成してユーザに提示し、ユーザが必要ないと判断したキーワードを含む番組情報を削除するので、膨大な量の番組情報が検索された場合にも、必要な番組情報を効率良く絞り込むことができる。
【００３５】
また、キーワードを自動生成するので、ユーザが多くのキーワードを入力する必要がない。
また、上述したように、ある人物に関する番組を検索しようとして、同姓の人物に関する番組も検索されてしまい、検索結果が膨大になってしまう場合にも、これらの検索結果の中から不要な番組を削除するためのキーワードを容易に知ることができ、関連のないキーワードを除外することができる。
（２）第２実施形態例
（２−１）構成
図９は、第２実施形態例に係るディジタル放送受信システムの概略構成図である。第１実施形態例の図１と同様の構成には同一の符号を付している。本実施形態例では、テレビ１ａは、ディジタル放送チューナ内臓のディジタルテレビでも良いし、アナログ放送用のテレビでも良い。テレビ１ａは、ケーブル５を介してディジタル放送チューナ４に接続されており、ディジタル放送チューナ４は、同軸ケーブル６を介してアンテナ２に接続されている。ディジタル放送チューナ４は、リモコン４１によって操作される。
【００３６】
図１０は、ディジタル放送チューナ４の機能ブロック図である。ここでは、第１実施形態例において図３に示したのと同様の構成には同様の符号を付している。同図から分かるように、このディジタル放送チューナ４は、第１実施形態例に係るディジタルのテレビ１ａの機能ブロック図（図３）とほぼ同様の構成を有している。但し、ディジタル放送チューナ４では、信号分離部１０１が同軸ケーブル６に接続されており、加算部１０９がケーブル５に接続されている。
【００３７】
第２実施形態例の番組検索画面例は第１実施形態例における図４から図７と同様であり、番組検索処理のフローチャートも第１実施形態例における図８と同様である。
（２−２）まとめ
第２実施形態例によれば、アナログテレビを用いても、第１実施形態例の場合と同様に、検索結果から新たなキーワードを生成し、ユーザが必要ないと判断したキーワードを含む番組情報を削除することができる。この結果、膨大な量の番組情報が検索された場合にも、必要な番組情報を効率良く絞り込むことができる。
（３）他の実施形態例
（３−１）上記実施形態例では、衛星放送信号に含まれるＥＰＧ信号から番組情報を取り出したが、ディジタル放送受信システムをインターネットに接続し、インターネット上のサーバから番組情報を取り出すようにしても良い。
【００３８】
また、ディジタル放送システムをケーブルテレビ回線に接続して、ケーブルテレビ回線を介して番組情報を取り出しても良い。
これらの場合にも、上記実施形態と同様に、番組の検索結果から新たなキーワードを生成し、ユーザが必要ないと判断したキーワードを含む番組情報を削除することができ、膨大な量の番組情報が検索された場合にも、必要な番組情報を効率良く絞り込むことができる。
【００３９】
（３−２）また、上記実施形態例では、ディジタル放送受信システムを例に挙げて説明したが、上記で述べた番組検索方法は、インターネットに接続されたＰＣにも適用可能である。
このようにすると、ＰＣを用いてＥＰＧ検索を行う場合に、番組の検索結果から新たなキーワードを生成し、ユーザが必要ないと判断したキーワードを含む番組情報を削除することができ、膨大な量の番組情報が検索された場合にも、必要な番組情報を効率良く絞り込むことができる。
【００４０】
【発明の効果】
本発明によれば、ＥＰＧ検索において、膨大な番組情報の中から必要とする番組を容易に検索できる。
【図面の簡単な説明】
【図１】従来のデータベース検索処理方法。
【図２】第１実施形態例に係るディジタル放送受信システムの概略構成図。
【図３】第１実施形態例に係るテレビの機能ブロック図。
【図４】キーワード入力画面例
【図５】第１の検索結果画面例。
【図６】キーワード指定画面例。
【図７】第２の検索結果画面例。
【図８】番組検索処理のフローチャート。
【図９】第２実施形態例に係るディジタル放送受信システムの概略構成図。
【図１０】第２実施形態例に係るテレビの機能ブロック図。
【符号の説明】
１、１ａ  テレビ
１１、４１  リモコン
１０１  信号分離部
１０２  チューナ部
１０３  復調部
１０４  誤り訂正部
１０５  デスクランブル部
１０６  多重化分離部
１０７  ＭＰＥＧデコーダ
１０８  Ｄ／Ａ変換部
１０９  加算部
１１０  データベース
１１１  検索制御部
１１２  キーワード指定受付部
１１３  表示処理部
２  アンテナ
３、６  同軸ケーブル
４  ディジタル放送チューナ
５  テレビケーブル
【図１】
0003909673.tif 000002
【図２】
0003909673.tif 000003
【図３】
0003909673.tif 000004
【図４】
0003909673.tif 000005
【図５】
0003909673.tif 000006
【図６】
0003909673.tif 000007
【図７】
0003909673.tif 000008
【図８】
0003909673.tif 000009
【図９】
0003909673.tif 000010
【図１０】
0003909673.tif 000011